(57)【要約】【課題】光学部品同士の位置精度を高めることが可能な光コネクタ保持具を提供する。【解決手段】光モジュール保持具は、第１の方向に沿って並置される光コネクタと光学基板との間に配置され、光コネクタの光ファイバを光学基板の光入出力部に対して光学的に接続する光コネクタ保持具であって、光コネクタと対面し、光コネクタと光学的に接続されるレンズが形成された光コネクタ取付部と、光学基板と対面し、光学基板に対する取付位置を規定する位置規定部が形成された光学基板取付部と、を備え、位置規定部は、光コネクタ保持具を光コネクタ取付部の側から第１の方向に投影した形状の外縁の一部を構成する。【選択図】図１
2015114645.tif 000002
【特許請求の範囲】
【請求項１】
第１の方向に沿って並置される光コネクタと光学基板との間に配置され、前記光コネクタの光ファイバを前記光学基板の光入出力部に対して光学的に接続する光コネクタ保持具であって、
前記光コネクタと対面し、前記光コネクタと光学的に接続されるレンズが形成された光コネクタ取付部と、
前記光学基板と対面し、前記光学基板に対する取付位置を規定する位置規定部が形成された光学基板取付部と、
を備え、
前記位置規定部は、前記光コネクタ保持具を前記光コネクタ取付部の側から前記第１の方向に投影した形状の外縁の一部を構成する、
光コネクタ保持具。
【請求項２】
前記位置規定部は、前記第１の方向に突出した凸状である、請求項１に記載の光コネクタ保持具。
【請求項３】
前記位置規定部は、前記第１の方向に直交する第２の方向において互いに離間して配置された一対の突出部を有し、
一対の前記突出部は、それぞれ前記位置規定部を有する、請求項１又は２に記載の光コネクタ保持具。
【請求項４】
前記位置規定部は、第１の位置決め面と、前記第１の位置決め面に対して連続している第２の位置決め面を更に有する、請求項１〜３の何れか一項に記載の光コネクタ保持具。
【請求項５】
前記第１の位置決め面は、前記第１の方向と平行、又は、前記第１の方向に対して前記外縁の内側に傾いている第１の面に対して連続しており、
前記第２の位置決め面は、前記第１の方向と平行、又は、前記第１の方向に対して前記外縁の内側に傾いている第２の面に対して連続している、
請求項４に記載の光コネクタ保持具。
【請求項６】
前記第１の面及び前記第２の面の少なくとも一方は、前記第１の方向に対して傾いている、請求項５に記載の光コネクタ保持具。
【請求項７】
前記位置規定部は、前記第１の方向に突出した凸状であり、
前記凸状は、前記第１の方向及び前記第２の方向のそれぞれと交差する第３の方向に沿って延在し、第１の部分と、前記第１の部分を前記第３の方向において挟む一対の第２の部分とを含み、
前記第１の部分と前記第２の部分との間には、前記第１の方向に延在する筋状の境界部が形成されている、請求項３に記載の光コネクタ保持具。
【請求項８】
請求項１〜７の何れか一項に記載の前記光コネクタ保持具と、
前記光コネクタ保持具に対して取り付けられる前記光コネクタと、を備え、
前記光コネクタは、前記第１の方向に直交する第２の方向に沿って並設された一対のガイドピンを有し、
前記光コネクタ保持具は、前記第２の方向に沿って並設され、前記ガイドピンが挿入されるガイドピン挿入部を有する、光コネクタモジュール。
【請求項９】
請求項１〜７の何れか一項に記載の前記光コネクタ保持具と、
前記光コネクタ保持具が取り付けられた前記光学基板と、を備え、
前記光学基板は、前記光コネクタ保持具の前記位置規定部に対応する取付規定部を有し、
前記光コネクタ保持具は、前記取付規定部に対して前記位置規定部が当接するように取り付けられている、光学基板モジュール。
【請求項１０】
請求項１〜７の何れか一項に記載の前記光コネクタ保持具と、
前記光コネクタ保持具に対して取り付けられる前記光コネクタと、
前記光コネクタ保持具が取り付けられた前記光学基板と、を備え、
前記光コネクタは、前記第１の方向に直交する第２の方向に沿って並設された一対のガイドピンを有し、
前記光コネクタ保持具は、前記第２の方向に沿って並設され、前記ガイドピンが挿入されるガイドピン挿入部を有し、
前記光学基板は、前記光コネクタ保持具の前記位置規定部に対応する取付規定部を有し、
前記光コネクタ保持具は、前記取付規定部に対して前記位置規定部が当接するように取り付けられている、光モジュール。
【発明の詳細な説明】
【技術分野】
【０００１】
本発明は、光コネクタ保持具、光コネクタモジュール、光学基板モジュール及び光モジュールに関する。
【背景技術】
【０００２】
特許文献１には、ボード間において高速で信号伝送可能な光伝送回路装置が記載されている。この光伝送回路装置は、光電変換回路等が設けられたボード同士が光伝送回路を介して光接続されている。光伝送回路は、光ファイバ束と、光ファイバ束に接続され信号光の伝送方向を変換する光分岐部と、光分岐部とボードに設けられた光電変換回路とに接続された光接続部とを有している。このような光伝送回路を備えた光伝送回路装置では、一のボードから出力された電気信号が光電変換回路により信号光に変換され、信号光が光分岐部を介して光ファイバ束に伝送される。そして、信号光の一部は、別の光分岐部において伝搬方向が変換されて別のボードに設けられた光電変換回路により電気信号に変化される。ここで、各ボードをバックプレーンに対して光接続する場合に、マイクロレンズが用いられてボードとバックプレーンが空間的に接続されている。
【先行技術文献】
【特許文献】
【０００３】
【特許文献１】特開２００６−６７３６０号公報
【発明の概要】
【発明が解決しようとする課題】
【０００４】
ところで、特許文献１に記載された光伝送回路装置のように、ボードと光ファイバとの光接続構成では、マイクロレンズや光ファイバといった光学部品同士の位置精度を高めることが望まれている。
【課題を解決するための手段】
【０００５】
本願発明は、その一側面として光コネクタ保持具に関する。光コネクタ保持具は、第１の方向に沿って並置される光コネクタと光学基板との間に配置され、光コネクタの光ファイバを光学基板の光入出力部に対して光学的に接続する光コネクタ保持具であって、光コネクタと対面し、光コネクタと光学的に接続されるレンズが形成された光コネクタ取付部と、光学基板と対面し、光学基板に対する取付位置を規定する位置規定部が形成された光学基板取付部と、を備え、位置規定部は、光コネクタ保持具を光コネクタ取付部の側から第１の方向に投影した形状の外縁の一部を構成する。
【発明の効果】
【０００６】
本発明の一側面に係る光コネクタ保持具によれば、光学部品同士の位置精度を高めることができる。
【図面の簡単な説明】
【０００７】
【図１】図１は、本発明の一実施形態に係る光モジュールを示す分解斜視図である。
【図２】図２は、図１の光コネクタを示す斜視図である。
【図３】図３は、光学基板モジュールを示す平面図である。
【図４】図４は、図３のＡ部を示す拡大図である。
【図５】図５は、図１の光コネクタ保持具を示す斜視図である。
【図６】図６は、図１の光コネクタ保持具を示す斜視図である。
【図７】図７は、光コネクタ保持具の成形を説明するための簡易分解図である。
【図８】図８は、光コネクタ保持具における突出部の成形を説明するための簡易分解図である。
【発明を実施するための形態】
【０００８】
［本願発明の実施形態の説明］
最初に本願発明の実施態様を列記して説明する。
【０００９】
本願発明の一実施形態は、第１の方向に沿って並置される光コネクタと光学基板との間に配置され、光コネクタの光ファイバを光学基板の光入出力部に対して光学的に接続する光コネクタ保持具であって、光コネクタと対面し、光コネクタと光学的に接続されるレンズが形成された光コネクタ取付部と、光学基板と対面し、光学基板に対する取付位置を規定する位置規定部が形成された光学基板取付部と、を備え、位置規定部は、光コネクタ保持具を光コネクタ取付部の側から第１の方向に投影した形状の外縁の一部を構成する。
【００１０】
この光コネクタ保持具は、光コネクタ保持具を光コネクタ取付部の側から第１の方向に投影した形状の外縁の一部を構成する位置規定部を有している。このような形状によれば、レンズと、位置規定部とを、同一の金型部材で成形することが可能になる。同一の金型部材による成形では、レンズと位置規定部との位置精度は金型部材における位置精度が支配的となるものの、金型部材におけるレンズと位置規定部との位置精度は、金型部材と別の金型部材とを組み合わせたときに生じるずれよりも小さい。従って、レンズと位置規定部との位置精度が向上されるため、光学部品同士の位置精度を高めることができる。また、位置規定部は、光学基板取付部に設けられ、第１の方向に突出した凸状であっても良い。これにより、位置規定部を容易に形成できる。
【００１１】
また、位置規定部は、第１の方向に直交する第２の方向において互いに離間して配置された一対の突出部を有し、一対の突出部は、それぞれ位置規定部を有する。この構成によれば、光入出力部における光導波路を所定の方向に形成することができるため、光導波路の配置の自由度を高めることができる。
【００１２】
また、位置規定部は、第１の位置決め面と、第１の位置決め面に対して連続している第２の位置決め面を更に有する。この構成によれば、第１の位置決め面により光学基板に対する光コネクタ保持具の所定方向の位置が規定され、第２の位置決め面により光学基板に対する光コネクタ保持具の所定方向と交差する別の方向の位置が規定される。従って、２次元平面上における光コネクタ保持具の位置精度を高めることができる。
【００１３】
また、第１の位置決め面は、第１の方向と平行、又は、第１の方向に対して外縁の内側に傾いている第１の面に対して連続しており、第２の位置決め面は、第１の方向と平行、又は、第１の方向に対して外縁の内側に傾いている第２の面に対して連続している。そして、第１の面及び第２の面の少なくとも一方は、第１の方向に対して傾いている。このような構成によれば、金型部材から光コネクタ保持具を容易に取り外すことができる。
【００１４】
また、凸状は、第１の方向及び第２の方向のそれぞれと交差する第３の方向に沿って延在し、第１の部分と、第１の部分を第３の方向において挟む一対の第２の部分とを含み、第１の部分と第２の部分との間には、第１の方向に延在する筋状の境界部が形成されていてもよい。
【００１５】
また、本願発明の別の実施形態は、光コネクタモジュールである。光コネクタモジュールは、上述した光コネクタ保持具と、光コネクタ保持具に対して取り付けられる光コネクタと、を備え、光コネクタは、第１の方向に直交する第２の方向に沿って並設された一対のガイドピンを有し、光コネクタ保持具は、第２の方向に沿って並設され、ガイドピンが挿入されるガイドピン挿入部を有する。この光コネクタモジュールによれば、光コネクタ保持具に対して高い位置精度を満足するように光コネクタを取り付けることができる。
【００１６】
また、本願発明の更に別の実施形態は、光学基板モジュールである。光学基板モジュールは、上述した光コネクタ保持具と、光コネクタ保持具が取り付けられた光学基板と、を備え、光学基板は、光コネクタ保持具の位置規定部に対応する取付規定部を有し、光コネクタ保持具は、取付規定部に対して位置規定部が当接するように取り付けられている。この光学基板モジュールによれば、高い位置精度を満足するように光コネクタ保持具４を光学基板２に取り付けることができる。
【００１７】
また、本願発明の更に別の実施形態は、光モジュールである。光モジュールは、上述した光コネクタ保持具と、光コネクタ保持具に対して取り付けられる光コネクタと、光コネクタ保持具が取り付けられた光学基板と、を備え、光コネクタは、第１の方向に直交する第２の方向に沿って並設された一対のガイドピンを有し、光コネクタ保持具は、第２の方向に沿って並設され、ガイドピンが挿入されるガイドピン挿入部を有し、光学基板は、光コネクタ保持具の位置規定部に対応する取付規定部を有し、光コネクタ保持具は、取付規定部に対して位置規定部が当接するように取り付けられている。この光モジュールによれば、光学基板、光コネクタ保持具及び光コネクタに配置された光学部品の間における位置精度を高めることができる。
【００１８】
［本願発明の実施形態の詳細］
本願発明の一実施形態に係る光コネクタ保持具、光コネクタモジュール、光学基板モジュール及び光モジュールの具体例を、以下に図面を参照しつつ説明する。なお、本願発明はこれらの例示に限定されるものではなく、特許請求の範囲によって示され、特許請求の範囲と均等の意味および範囲内でのすべての変更が含まれることが意図される。
【００１９】
図１に示されるように、光モジュール１は、光電変換素子などが実装された光学基板２に対して、光ファイバ群ＦＡの一端側が取り付けられた光コネクタ３を光コネクタ保持具４を介して光学的且つ機械的に接続するものである。より詳細には、光モジュール１は、光学基板２に形成された光導波路６に対して光コネクタ３の光ファイバ群ＦＡを光学的に接続する、いわゆる導波路型の接続形態をなす。そして、光ファイバ群ＦＡの他端側は別の光コネクタ３を介して別の光学基板２に対して光学的に接続されている。従って、光モジュール１によれば、一の光学基板２と別の光学基板２とを光学的に接続することができる。
【００２０】
なお、以下の説明において、「送信」とは光コネクタ３を介して信号光を光学基板２の外部に出力する形態とし、「受信」とは光コネクタ３を介して信号光が光学基板２の外部から光学基板２に入力される形態とする。また、光コネクタ３に固定された光ファイバ群ＦＡの光軸方向をＺ方向とし、光ファイバ群ＦＡの光軸方向に直交し、光ファイバ群ＦＡに含まれた個々の光ファイバＦが並設された方向をＸ方向とし、光ファイバ群ＦＡの光軸方向（Ｚ方向）と個々の光ファイバＦが並設方向（Ｘ方向）とに直交する方向をＹ方向とする。なお、これら送信、受信の定義、及びＸＹＺ座標系の定義は説明の便宜上のものであり、上述の定義に限定されることはない。
【００２１】
光モジュール１は、Ｚ方向（第１の方向）に沿って配置された光コネクタ３と、光コネクタ保持具４と、光学基板２と、を備えている。ここで、光コネクタ３と光コネクタ保持具４とが組み合わされた構成は、光コネクタモジュールＭ１をなす。また、光学基板２と光コネクタ保持具４とが組み合わされた構成は、光学基板モジュールＭ２をなす。この光モジュール１は、光コネクタ３から光学基板２へ信号光が導波される受信型であってもよく、光学基板２から光コネクタ３へ信号光が導波される送信型であってもよい。以下の説明においては、光学基板２から光コネクタ３へ信号光が導波される送信型の構成を例に説明する。
【００２２】
図２に示されるように、光コネクタ３は、光ファイバ群ＦＡを光学基板２の光導波路６（図１参照）に光学的に接続するものである。光コネクタ３は、光コネクタ保持具４に対面し、光コネクタ保持具４に対して取り付けられる保持具取付部７を有している。保持具取付部７には、光ファイバＦの光軸Ｃと交差すると共にＸ方向に延在する光入射面８と、Ｘ方向において光入射面８を挟むように形成された一対のガイド部９とが形成されている。そして、光入射面８には、光ファイバＦの光軸Ｃ上にそれぞれ形成されたレンズＬ１が形成され、ガイド部９にはＺ方向に突出した円柱状のガイドピン９ａが形成されている。この光コネクタ３は、信号光に対して透明な樹脂材料で一体成形されることが好ましい。
【００２３】
図１に示されるように、光学基板２は、信号光を外部へ出力する出力ポートとしての光出射部（光入出力部）１１を有し、種々の光素子や電気素子（不図示）が実装されている。光出射部１１は、Ｚ方向から見て矩形状の形状を呈している。光出射部１１は、半導体基板をエッチングして形成され、Ｙ方向に延在する光導波路６を複数含む光導波路部１２と、それぞれの光導波路６上に配置されて信号光の進行方向を変換するミラー（不図示）と、光コネクタ保持具４を取り付ける基準としての取付規定部１３と、を有している。
【００２４】
図３に示すように、取付規定部１３は、一対の規定部１４を有している。規定部１４は、光出射部１１の表面１１ａから突出している。このような規定部１４は、光導波路部１２における光導波路６と同時にエッチング等の半導体基板に対する加工工程を経て形成される。それぞれの規定部１４は、光導波路６の延在方向（Ｙ方向）と直交する方向（Ｘ方向）に光導波路部１２を挟むように配置されると共に、光出射部１１における互いに対向する角部に配置されている。また、図４に示されるように、規定部１４は、Ｙ方向に延在する第１の当接部１４ａと、Ｘ方向に延在する第２の当接部１４ｂとを有している。すなわち、それぞれの規定部１４は、例えば、光出射部１１のＸ方向及びＹ方向における中心に対して、点対称となる向き及び位置に配置されている。
【００２５】
図５及び図６に示されるように、光コネクタ保持具４は、光コネクタ３を光学的及び機械的に光学基板２に接続するものである。また、光コネクタ保持具４は、複数のレンズＬ２を有するマイクロレンズアレイである。光コネクタ保持具４は、光コネクタ３を保持可能な機械的強度を有すると共に、光コネクタ３を光学基板２に対して固定可能な強度を確保するように光学基板２に取り付けられている。例えば、光コネクタ保持具４は、接着により光学基板２に対して取り付けられている。また、光コネクタ保持具４は、信号光に対して透明な樹脂材料で一体成形されることが好ましい。
【００２６】
光コネクタ保持具４は、本体部１６と、Ｘ方向において本体部１６を挟むように形成された一対のコネクタガイド部１７と、を有している。
【００２７】
コネクタガイド部１７は、ガイド穴１７ａを有している。光コネクタ３のガイドピン９ａ（図２参照）に対応する位置に形成されたガイド穴１７ａは、円柱状のガイドピン９ａが挿入可能な内径を有し、Ｘ方向においてガイドピン９ａと同じ間隔で形成されている。
【００２８】
本体部１６は、光コネクタ保持具４の基体をなし、光コネクタ３と対面する光コネクタ取付部１８と、光学基板２と対面する光学基板取付部１９とを有している。光コネクタ取付部１８と光学基板取付部１９とは、光コネクタ保持具４を光学基板２に取り付けたときにＺ方向に沿って配置されるように形成されている。光コネクタ取付部１８は、光コネクタ３のレンズＬ１に対し、信号光をコリメートして出射するレンズＬ２を有している。レンズＬ２は、Ｘ方向に沿って複数形成されている。光学基板取付部１９は、光学基板２の光出射部１１と対面し、光出射部１１のから出射された信号光が入射される光入射面２１（図６参照）と、光入射面２１から光学基板２側に突出した位置規定部２２とを有している（図６参照）。
【００２９】
光コネクタ保持具４は、Ｙ方向と直交する本体部１６の主側面１６ａに形成された一対の膨出部２３を有している。膨出部２３は、光コネクタ取付部１８及び光学基板取付部１９をＹ方向において挟むように形成され、本体部１６の主側面１６ａからＹ方向に突出している。この突出量は、例えば、ガイド穴１７ａの内径よりも小さい。そして、膨出部２３は、Ｘ方向と交差する一対の端面（第１の面）２４と、それぞれの端面２４に隣接する側面（第２の面）２６とを有している。また、それぞれの端面２４及び側面２６はＺ方向に対して傾いている。側面２６をＹ方向から見ると、側面２６は台形状をなし、光コネクタ取付部１８側における端面２４同士の間隔（いわゆる上底）は、光学基板取付部１９側における端面２４同士の間隔（いわゆる下底）よりも短い。また、端面２４は、Ｚ方向に対して等しい傾き角を持って形成されている。また、端面２４をＸ方向から見ると、側面２６は台形状をなし、光コネクタ取付部１８側における主側面１６ａと側面２６との間隔（いわゆる上底）は、光学基板取付部１９側における主側面１６ａと側面２６との間隔（いわゆる下底）よりも短い。なお、膨出部２３は、本体部１６の主側面１６ａからＹ方向に陥没するように構成しても良い。このような膨出部２３を設けることで、後述する第１の位置決め面３１および第２の位置決め面３２をコネクタガイド部１７の内側に配置でき、光コネクタ保持具４が大型化することを防止できる。
【００３０】
図６に示されるように、位置規定部２２は、Ｚ方向（第１の方向）において光学基板取付部１９の光入射面２１から光学基板２側に突出した凸状であり、Ｙ方向に延在する一対の突出部２７を有している。突出部２７は、Ｘ方向において光入射面２１を挟むように互いに離間して配置されている。突出部２７は、第１の部分２８と、第２の部分２９とを有している。第１の部分２８は、突出部２７において本体部１６の裏面上に形成された部分である。第２の部分２９は、突出部２７において膨出部２３の裏面上に形成された部分である。第１の部分２８と第２の部分２９との境界には、Ｚ方向に延在する筋状の境界部３８（図８参照）が形成されていてもよい。
【００３１】
突出部２７は、第２の部分２９に形成された第１の位置決め面３１と、第２の位置決め面３２とを有している。第１の位置決め面３１と、第２の位置決め面３２は、図３に示すように、光コネクタ保持具４を光コネクタ取付部１８の側からＺ方向（第１の方向）に投影した形状の外縁の一部を構成する。第１の位置決め面３１は、光学基板２における規定部１４の第１の当接部１４ａに対して当接する（図４参照）。なお、第１の位置決め面３１は、第１の当接部１４ａに対して面接触していてもよいし、第１の位置決め面３１の下縁３１ａ（図６参照）が第１の当接部１４ａに線接触していてもよい。また、第２の位置決め面３２は、光学基板２における規定部１４の第２の当接部１４ｂに対して当接する（図４参照）。なお、第２の位置決め面３２は、第２の当接部１４ｂに対して面接触していてもよいし、第２の位置決め面３２の下縁３２ａ（図６参照）が第２の当接部１４ｂに線接触していてもよい。
【００３２】
第１の位置決め面３１は、膨出部２３における端面２４とＺ方向に沿って連続する。より詳細には、第１の位置決め面３１とＺ方向とのなす角度が平行になるように、第１の位置決め面３１は端面２４に連続している。すなわち、第１の位置決め面３１は、Ｚ方向における端面２４の下側に位置していない。また、第２の位置決め面３２は、膨出部２３における側面２６とＺ方向に沿って連続する。より詳細には、第２の位置決め面３２とＺ方向とのなす角度が平行になるように、第２の位置決め面３２は側面２６に連続している。すなわち、第２の位置決め面３２は、Ｚ方向における側面２６の下側に位置していない。
【００３３】
ここで、光コネクタ保持具４における位置規定部２２の成形について説明する。図７に示されるように、光コネクタ保持具４は、第１の金型部材３３と、第２の金型部３４とを利用して一体成形される。この第１の金型部材３３は、少なくともレンズＬ２、第１の位置決め面３１及び第２の位置決め面３２を成形する。第１の金型部材３３は、端面２４を形成するための端面成形部３３ａと、突出部２７における第１の位置決め面３１を成形するための位置決め面成形部３３ｂと、を有している。また、第２の金型部３４は、膨出部２３の底面２３ａ等を成形するための底面成形部３４ａと、突出部２７における第１の位置決め面３１と反対側の面３６を成形するための面成形部３４ｂと、を有している。
【００３４】
第１の金型部材３３と第２の金型部３４とを組み合わせると、これら端面成形部３３ａ、位置決め面成形部３３ｂ、底面成形部３４ａに囲まれた空間が形成され、この空間に樹脂が充填されて膨出部２３が成形される。また、膨出部２３を形成する空間に連続し、位置決め面成形部３３ｂと面成形部３４ｂとに挟まれ空間に樹脂が充填されて突出部２７における第２の部分２９（図６参照）が形成される。
【００３５】
なお、第１の金型部材３３に対して第２の金型部３４がＸ方向にずれて取り付けられた場合には、突出部２７におけるＸ方向の幅が一方の突出部２７では大きくなり、他方の突出部２７では小さくなる。しかし、第１の位置決め面３１は、第１の金型部材３３における位置決め面成形部３３ｂにより成形されるため、第１の金型部材３３に対する第２の金型部３４のずれの影響を受けない。
【００３６】
突出部２７の第１の部分２８は、本体部１６の裏面に形成されているため、第１の金型部材３３で成形することができない。従って、図８に示されるように、第２の金型部３４の面成形部３４ｃ，３４ｄにより第１の部分２８のための空間が形成され、この空間に樹脂が充填されて第１の部分２８が成形される。一方、突出部２７の第２の部分２９は、第１の位置決め面３１と第１の位置決め面３１と反対側の面３６とを有している。第１の位置決め面３１は、第１の金型部材３３の位置決め面成形部３３ｂにより成形され、第１の位置決め面３１と反対側の面３６は面成形部３４ｂにより成形される。
【００３７】
従って、第１の部分２８は、第２の金型部３４によって成形され、第２の部分２９は第１の金型部材３３と第２の金型部３４によって成形される。ここで、第２の部分２９における第１の位置決め面３１に対して反対側の面３６は、第１の金型部材３３に対する第２の金型部３４のずれによって位置がずれることがある。また、第１の部分２８において面成形部３４ｃにより成形される面２８ａと、面成形部３４ｄにより成形される面２８ｂとは、第１の金型部材３３に対する第２の金型部３４のずれによってＸ方向に沿って位置がずれることがある。従って、第１の部分２８と第２の部分２９との境界には、筋状の境界部３８が形成されることもある。
【００３８】
続いて、上述した光モジュール１の作用効果について、比較例における光コネクタ保持具の製造方法を述べた後に説明する。
【００３９】
光コネクタ保持具４と光学基板２と接続構造では、光学基板２の光導波路６に対して光コネクタ保持具４のレンズＬ１が精度良く配置されている。光学基板２に対する光コネクタ保持具４の位置決めは、光学基板２の取付規定部１３に光コネクタ保持具４の位置規定部２２が当接されてなされる。これら取付規定部１３と位置規定部２２とにより、光学基板２に対して光コネクタ保持具４を精度良く取り付けることができる。ここで、光学基板２の光導波路６に対して光コネクタ保持具４のレンズＬ１を精度良く配置するためには、光コネクタ保持具４の位置規定部２２に対して、光コネクタ保持具４のレンズＬ１が所望の位置精度を満足するように形成されている必要がある。
【００４０】
例えば、比較例における光コネクタ保持具の製造方法について説明する。光コネクタ保持具は、第１の金型部材と第２の金型部とを組み合わせた金型に樹脂材料を充填して一体成形する。このとき、位置規定部とレンズとが互いに反対側に配置されているため、例えば、レンズが第１の金型部材により成形され、位置規定部が第２の金型部により形成されることがある。ここで、第１の金型部材と第２の金型部とを組み合わせたとき、意図しないずれが生じ得る。このずれは、レンズと位置規定部との位置精度を悪化させる要因となり得る。そして、この第１の金型部材と第２の金型部材とを組み合わせたときに生じるずれが、要求されるレンズと位置規定部との位置精度を上回るとき、比較例による製造方法では、レンズと位置規定部との位置精度を満たす光コネクタ保持具を効率よく製造することが困難になる。
【００４１】
本実施形態の光コネクタ保持具４は、光コネクタ保持具４を光コネクタ取付部１８の側からＺ方向（第１の方向）に投影した形状の外縁の一部を構成する位置規定部２２を有する。位置規定部２２は第１の位置決め面３１および第２の位置決め面３２を有している。また、第１の位置決め面３１はＺ方向と平行、又は、Ｚ方向に対して前述の外縁の内側に傾いている端面２４と連続している。そして、第２の位置決め面３２はＺ方向と平行、又は、Ｚ方向に対して前述の外縁の内側に傾いている側面２６と連続している。このような形状によれば、レンズＬ１と、第１の位置決め面３１及び第２の位置決め面３２を有する位置規定部２２とを、第１の金型部材３３で成形することが可能になる。同一の第１の金型部材３３による成形では、レンズＬ１と位置規定部２２との位置精度は第１の金型部材３３における位置精度が支配的となるが、第１の金型部材３３の精度は、第１の金型部材３３と第２の金型部３４とを組み合わせたときに生じるずれよりも小さい。これにより、レンズＬ１と位置規定部２２との位置精度を満たす光コネクタ保持具４を効率よく製造することが可能になる。
【００４２】
また、光コネクタ保持具４に対する光コネクタ３の位置決めは、光コネクタ３のガイドピン９ａが光コネクタ保持具４のガイド穴１７ａに挿入されてなされる。光コネクタ３では、レンズＬ１とガイドピン９ａとが同一の金型で一体成形されるのでガイドピン９ａの中心軸線に対するレンズＬ１の位置精度は高い。同様に、光コネクタ保持具４は、レンズＬ１とガイド穴１７ａとが同一の金型で一体成形されるのでガイド穴１７ａの中心軸線に対するレンズＬ１の位置精度は高い。従って、光コネクタ３のレンズＬ１と光コネクタ保持具４のレンズＬ１とは高精度に互いに位置決めされる。
【００４３】
従って、光コネクタ保持具４、及び光コネクタ保持具４を備えた光モジュール１によれば、光導波路６、光コネクタ保持具４のレンズＬ１、及び光コネクタ３のレンズＬ１の間における位置精度を高めることができる。
【００４４】
また、光コネクタ保持具４の位置規定部２２は、光導波路部１２をＸ方向に挟む一対の突出部２７を有している。この構成によれば、光出射部１１における光導波路６をＹ方向に形成することができるため、光導波路６の配置の自由度を高めることができる。
【００４５】
また、光コネクタ保持具４の位置規定部２２は、第２の位置決め面３２を有している。この構成によれば、第１の位置決め面３１により光学基板２に対する光コネクタ保持具４のＸ方向の位置が規定され、第２の位置決め面３２により光学基板２に対する光コネクタ保持具４のＹ方向の位置が規定される。従って、ＸＹ平面上における光コネクタ保持具４の位置精度を高めることができる。
【００４６】
また、光コネクタ保持具４の位置規定部２２において、端面２４及び側面２６は、Ｚ方向に対して傾いている。この傾きは、樹脂成形におけるいわゆる抜き勾配と呼ばれるものであり、このような構成によれば、第１の金型部材３３から容易に取り外すことができる。
【００４７】
また、光コネクタ保持具４の位置規定部２２は、第１の部分２８と第２の部分２９とを有し、第１の部分２８と第２の部分２９との間には境界部３８が形成されていていてもよい。
【００４８】
また、光コネクタモジュールＭ１において、光コネクタ保持具４は、ガイド穴１７ａを有し、光コネクタ３はガイドピン９ａを有している。この構成によれば、光コネクタ保持具４に対して高い位置精度を満足するように光コネクタ３を取り付けることができる。
【００４９】
また、光学基板モジュールＭ２において、光コネクタ保持具４は、位置規定部２２を有し、光学基板２は取付規定部１３を有している。従って、光学基板モジュールＭ２は、高い位置精度を満足するように光コネクタ保持具４を光学基板２に取り付けることができる。
【００５０】
本発明は、前述した実施形態に限定されず、本発明の要旨を逸脱しない範囲で、下記のような種々の変形が可能である。
【００５１】
例えば、光モジュール１は、光コネクタ３から光学基板２に信号光が入力される受信形態である接続構成に用いられてもよい。
【００５２】
また、例えば、光学基板２には、フォトダイオードといった半導体受光素子や、レーザダイオード、垂直共振器面発光レーザといった半導体発光素子が取り付けられ、これら半導体光素子に対して光コネクタ３を光学的に接続するものであってもよい。このような接続形態は、基板フェイスアップ実装型の接続形態とも呼ばれる。
【産業上の利用可能性】
【００５３】
光コネクタ保持具４、光コネクタモジュールＭ１、光学基板モジュールＭ２、及び光モジュール１は、高い光接続効率が要求される光学基板２同士の光接続に用いると有益である。
【符号の説明】
【００５４】
１…光モジュール、２…光学基板、３…光コネクタ、４…光コネクタ保持具、７…保持具取付部、８…光入射面、９…ガイド部、９ａ…ガイドピン、１１…光出射部（光入出力部）、１２…光導波路部、１３…取付規定部、１７…コネクタガイド部、１７ａ…ガイド穴、１８…光コネクタ取付部、１９…光学基板取付部、２１…光入射面、２２…位置規定部、２３…膨出部、２４…端面（第１の面）、２６…側面（第２の面）、２７…突出部、２８…第１の部分、２９…第２の部分、３１…第１の位置決め面、３２…第２の位置決め面、３８…境界部、Ｌ１，Ｌ２…レンズ、Ｍ１…光コネクタモジュール、Ｍ２…光学基板モジュール。
【図１】
2015114645.tif 000003
【図２】
2015114645.tif 000004
【図３】
2015114645.tif 000005
【図４】
2015114645.tif 000006
【図５】
2015114645.tif 000007
【図６】
2015114645.tif 000008
【図７】
2015114645.tif 000009
【図８】
2015114645.tif 000010